(57)【要約】【課題】穀稈引起し装置において従来のような別体のガイドレールを不用とし、部品点数を削減して安価に製造できるものとする。【解決手段】穀稈引起し装置（８）のケースを形成する前側の前引起しケース（２０ａ）および後側の後引起しケース（２０ｂ）と、ケース内に内装される引起しラグ（２１）を備えた引起しチェン（２２）と、引起しチェン（２２）を巻回する駆動スプロケット（２４）および従動輪体（２５）から構成された穀稈引起し装置（８）において、前後に対向して接合される前引起しケース（２０ａ）と後引起しケース（２０ｂ）には、引起しラグ（２１）を起立させる引起し経路側の部位において互いに対向する面を凹状に屈曲させて、引起しラグ（２１）の基部に形成された摺動部（２１ａ）に摺接して引起しラグ（２１）を起立姿勢に保持したまま上昇案内する屈曲ガイド部（２３）を形成する。【選択図】      図５
2013230095.tif 000002
【特許請求の範囲】
【請求項１】
穀稈引起し装置（８）のケースを形成する前側の前引起しケース（２０ａ）および後側の後引起しケース（２０ｂ）と、該ケース内に内装される引起しラグ（２１）を備えた引起しチェン（２２）と、該引起しチェン（２２）を巻回する駆動スプロケット（２４）および従動輪体（２５）から構成された穀稈引起し装置（８）において、前後に対向して接合される前引起しケース（２０ａ）と後引起しケース（２０ｂ）には、引起しラグ（２１）を起立させる引起し経路側の部位において互いに対向する面を凹状に屈曲させて、前記引起しラグ（２１）の基部に形成された摺動部（２１ａ）に摺接して該引起しラグ（２１）を起立姿勢に保持したまま上昇案内する屈曲ガイド部（２３）を形成したことを特徴とする穀稈引起し装置。
【請求項２】
前記前引起しケース（２０ａ）と後引起しケース（２０ｂ）を、該前引起しケース（２０ａ）および後引起しケース（２０ｂ）の左右方向中央部に夫々形成された平面部どうしを重ね合わせて連結することで、穀稈引起し装置（８）のケースが形成される構成とした請求項１記載の穀稈引起し装置。
【請求項３】
前記屈曲ガイド部（２３）には、引起しラグ（２１）の基部に形成された摺動部（２１ａ）の内側面を摺接案内するラグ起立ガイド部（Ｇ１）と、摺動部（２１ａ）の外側面を位置規制する外面ガイド部（Ｇ２）と、摺動部（２１ａ）の外側面を位置規制する上面ガイド部（Ｇ３）を備えた請求項１または請求項２記載の穀稈引起し装置。
【請求項４】
前記引起しチェン（２２）を緊張させるテンションアーム（２６）の先端部には、該引起しチェン（２２）に対する接当面が円弧状となるよう形成されたチェンガイド体（２７）を一体的に設けた請求項１または請求項２または請求項３記載の穀稈引起し装置。
【請求項５】
前記チェンガイド体（２７）は、上下対称の半円弧形状に構成した請求項４記載の穀稈引起し装置。
【発明の詳細な説明】
【技術分野】
【０００１】
この発明は、コンバイン等に備えられる穀稈引起し装置に関する。
【背景技術】
【０００２】
従来の穀稈引起し装置として、例えば、特許文献１に開示されているように、引起しケースの左右一側の引起し経路側に、引起しチェンの内側に沿わせて引起しラグを起立案内するための上下方向に長い引起しガイドレールが設けられたものがある。
【先行技術文献】
【特許文献】
【０００３】
【特許文献１】特開２００９−１７８３０号公報
【発明の概要】
【発明が解決しようとする課題】
【０００４】
上記従来構成のものでは、引起しガイドレールが引起しケースとは別体構成であるため、部品点数が多く、組み立て工数もかかりコスト高となっている。
本発明の課題は、引起しケース自体が引起しガイドレールを兼ねるように構成し、部品点数の削減、強度アップ、並びに軽量化を図る。
【課題を解決するための手段】
【０００５】
この発明は、上記課題を解決すべく次のような技術的手段を講じた。
すなわち、請求項１記載の発明は、穀稈引起し装置（８）のケースを形成する前側の前引起しケース（２０ａ）および後側の後引起しケース（２０ｂ）と、該ケース内に内装される引起しラグ（２１）を備えた引起しチェン（２２）と、該引起しチェン（２２）を巻回する駆動スプロケット（２４）および従動輪体（２５）から構成された穀稈引起し装置（８）において、前後に対向して接合される前引起しケース（２０ａ）と後引起しケース（２０ｂ）には、引起しラグ（２１）を起立させる引起し経路側の部位において互いに対向する面を凹状に屈曲させて、前記引起しラグ（２１）の基部に形成された摺動部（２１ａ）に摺接して該引起しラグ（２１）を起立姿勢に保持したまま上昇案内する屈曲ガイド部（２３）を形成したことを特徴とする穀稈引起し装置とする。
【０００６】
前引起しケース（２０ａ）と後引起しケース（２０ｂ）自体の屈曲形成により屈曲ガイド部（２３）を形成するので、別のガイドレールが不用となって部品点数が少なくて済み、軽量化が可能となる。
【０００７】
請求項２記載の発明は、前記前引起しケース（２０ａ）と後引起しケース（２０ｂ）を、該前引起しケース（２０ａ）および後引起しケース（２０ｂ）の左右方向中央部に夫々形成された平面部どうしを重ね合わせて連結することで、穀稈引起し装置（８）のケースが形成される構成とした請求項１記載の穀稈引起し装置とする。
【０００８】
上記構成によると、前引起しケース（２０ａ）および後引起しケース（２０ｂ）の左右方向中央部に夫々形成された平面部どうしを重ね合わせて連結しているので、これら前引起しケース（２０ａ）および後引起しケース（２０ｂ）自体の強度アップと同時に藁屑の侵入を防ぐことができる。
【０００９】
請求項３記載の発明は、前記屈曲ガイド部（２３）には、引起しラグ（２１）の基部に形成された摺動部（２１ａ）の内側面を摺接案内するラグ起立ガイド部（Ｇ１）と、摺動部（２１ａ）の外側面を位置規制する外面ガイド部（Ｇ２）と、摺動部（２１ａ）の外側面を位置規制する上面ガイド部（Ｇ３）を備えた請求項１または請求項２記載の穀稈引起し装置とする。
【００１０】
上記構成によると、前引起しケース（２０ａ）および後引起しケース（２０ｂ）に屈曲ガイド部（２３）が屈曲形成されるので、穀稈引起し装置（８）のケース自体の強度が充分に確保され、引起しラグ（２１）の作用においてもガタつきがなく起立姿勢が安定する。
【００１１】
請求項４記載の発明は、前記引起しチェン（２２）を緊張させるテンションアーム（２６）の先端部には、該引起しチェン（２２）に対する接当面が円弧状となるよう形成されたチェンガイド体（２７）を一体的に設けた請求項１または請求項２または請求項３記載の穀稈引起し装置とする。
【００１２】
上記構成によると、円弧状に形成されたチェンガイド体（２７）をテンションアーム（２６）と一体化することで、従来のテンションスプロケットやベアリングなどの高価な部品に代えて簡単な構成でもって安価に実施することができる。
【００１３】
請求項５記載の発明は、前記チェンガイド体（２７）は、上下対称の半円弧形状に構成した請求項４記載の穀稈引起し装置とする。
上記構成によると、使用中は、チェンガイド体（２７）の上面側のみが引起しチェン（２２）と摺接して摩耗するので、左右の引起し装置のチェンガイド体（２７）どうしを交換することで、このチェンガイド体（２７）の下面側の非作用面を利用することができる。
【発明の効果】
【００１４】
請求項１記載の発明によれば、前引起しケース（２０ａ）および後引起しケース（２０ｂ）自体を屈曲形成することによって引起しラグ（２１）を起立案内する屈曲ガイド部（２３）を形成するので、従来のような別体のガイドレールが不用となり、部品点数が少なくなって安価に製造することができ、且つ、引起し装置の軽量化も可能となる。
【００１５】
請求項２記載の発明によれば、請求項１記載の効果に加えて、前引起しケース（２０ａ）と後引起しケース（２０ｂ）を、これら前引起しケース（２０ａ）および後引起しケース（２０ｂ）の左右方向中央部に夫々形成された平面部どうしを重ね合わせて連結するので、穀稈引起し装置（８）のケース自体の強度アップが可能となり、同時に藁屑の侵入をも防止することができる。
【００１６】
請求項３記載の発明によれば、請求項１又は請求項２記載の効果に加えて、穀稈引起し装置（８）のケース自体の更なる強度アップが可能となり、引起しラグ（２１）の作用においても、ガタつきがなく安定した姿勢を保って起立案内することができる。
【００１７】
請求項４記載の発明によれば、請求項１または請求項２または請求項３記載の効果に加えて、引起しチェン（２２）を緊張させる円弧状のチェンガイド体（２７）をテンションアーム（２６）と一体化することで、従来のテンションスプロケットやベアリングなどの高価な部品に代えて簡単な構成でもって安価に実施することができる。
【００１８】
請求項５記載の発明によれば、請求項４記載の効果に加えて、長時間の使用により、チェンガイド体（２７）の上面側が極度に摩耗したときには、左右の穀稈引起し装置（８）のチェンガイド体（２７）を交換することで、このチェンガイド体（２７）の下面側の非作用面を利用することができ、耐久性の向上を図ることができる。
【図面の簡単な説明】
【００１９】
【図１】コンバインの側面図
【図２】コンバイン刈取部の要部の正面図
【図３】穀稈引起し装置の要部の正面図
【図４】同上要部の平面図
【図５】同上要部の側面図
【図６】図３のＳ−Ｓ線断面図
【図７】引起し装置の要部の正面図
【図８】同上要部の平断面図
【図９】刈取前処理部の要部の正面図
【図１０】刈取部の要部の平面図
【図１１】（Ａ）引起しサイドカバーの斜視図、（Ｂ）引起し装置の正面図、（Ｃ）  引起し装置の正面図
【図１２】コンバインの要部の正面図
【図１３】（ａ）左スライド時の刈取部要部の平面図、（ｂ)  右スライド時の刈取部要部の平面図
【図１４】刈取部の要部の平面図
【図１５】刈取前処理部の要部の正面図
【図１６】掻込搬送装置の平面図
【図１７】引起しケース及びラグ起立ガイドレールの分解斜視図
【発明を実施するための形態】
【００２０】
この発明の実施例を図面に基づき説明する。
図１及び図２は、コンバインの構成例を示すものであり、この走行車体１には、左右一対の走行クローラ２，２を備え、後部に搭載した脱穀装置３の前方部に刈取部４を設置し、刈取部４の横側部には運転席５や操作ボックス６等の運転操作部を備え、更に、その運転操作部の後方には脱穀粒を一時的に貯留するグレンタンクＴを装備している。なお、図１中、１４は操向レバー、１５は変速レバーを示す。
【００２１】
刈取部４は、立毛する穀稈を左右に分草する分草体７，７…、分草後の穀稈を引き起す穀稈引起し装置８…、引起し後の穀稈を切断するバリカン式の刈刃装置９、刈取後の穀稈を掻込搬送する掻込搬送装置１０、掻込搬送後の穀稈を引き継いで揚上搬送し後方の脱穀装置３の脱穀フィードチェン１２に搬送供給する刈取穀稈搬送装置１１等からなり、左右横方向に架設する刈取入力軸を支点として上下に昇降可能で前後方向に沿わせて設けた刈取縦フレーム１７及び該刈取縦フレームの先端に左右横方向に沿わせて設けた刈取横フレーム１８に装備している。刈取縦フレーム１７内には刈取縦伝動軸を内装し、前記刈取横フレーム１８内の刈取横伝動軸を駆動すべく連動構成している。
【００２２】
分草体７は刈刃側から前方に突設する分草支持フレーム１３に装着支持されている。
引起し装置８は、前後の引起しケース２０ａ，２０ｂ（前引起しケース２０ａ，後引起しケース２０ｂ）と、該ケース内に内装軸架される引起しラグ２１付きの引起しチェン２２と、該引起しチェン２２を巻回する駆動スプロケット２４及び従動輪体２５と、引起しチェン２２を緊張保持するテンションアーム２６及びチェンガイド体２７等からなるように構成されている。
【００２３】
前後に対向する前引起しケース２０ａと後引起しケース２０ｂには、引起しラグ２１を横方向に起立させた状態で上昇移行させる引起し経路側において、互いに対向する面を凹状に屈曲させて、引起しラグ２１の基部に形成された摺動部２１ａに摺接して該引起しラグ２１を起立姿勢に保持したまま上昇案内する屈曲ガイド部２３が形成されている。そして、前引起しケース２０ａと後引起しケース２０ｂを、これら前引起しケース２０ａおよび後引起しケース２０ｂの左右方向中央部に夫々形成された平面部どうしを重ね合わせて接合し、ボルト連結することで、穀稈引起装置８のケースが形成されるように構成されている。
【００２４】
また、上記の屈曲ガイド部（２３）は、両ケース２０ａ，２０ｂには、前記引起しラグ２１の基部に構成された摺動部２１ａの下面側（内側面）を摺接案内するラグ起立ガイド部Ｇ１と、摺動部２１ａの外面側（外側面）を規制案内する外面ガイド部Ｇ２と、摺動部２１ａの上面側を規制案内する上面ガイド部Ｇ３とから形設されている。要するに、この屈曲ガイド部２３によって引起しラグ２１の基部に形成された摺動部２１ａが嵌入された状態で規制案内されることになる。
【００２５】
テンションアーム２６は、引張スプリング２８によって引起しチェン２２側に張圧保持させている。チェンガイド体２７は、上下対称の半円弧形状に構成され、上半作用面Ｒ１が磨耗すると、下半非作用面Ｒ２が使用できるようになっている。つまり、テンションアーム２６と一体化されたチェンガイド２７を左右の引起し装置のものと互いに交換することで、下半非作用面Ｒ２を使用することができる。
【００２６】
次に図９及び図１０に示す実施例について説明する。
２条刈タイプのコンバインにおいて、左右の分草支持フレーム１３Ｌ，１３Ｒを連結する刈取横フレーム１８を角チューブによって構成すると共に、この角チューブ内にはリモコンナローガイドケーブル３０、ＡＣＤハーネス３１や注油ホース等を通して保護するように配置構成している。角チューブ１８の右出口端部１８Ｒと右分草支持フレーム１３Ｒとの間に空間部Ｓを設け、外部からの保護並びに下方への垂れ下がりを防止すべく連結プレート３２でもって受け止めるように連結構成している。
【００２７】
また、図９例では、左側の引起し装置は、ケース内下部に１個の従動輪体２５を架設したものであるが、右側引起し装置のケース内下部には、所定間隔をあけて左右２個の従動輪体２５ａ，２５ｂを架設することによって引起しラグの左右方向の作用範囲が大きくなるように構成している。
【００２８】
そして、左右の分草体７Ｌ，７Ｒのうち、右分草体７Ｒ側のみ先端側が左内側方又は右外側方に向けて回動するよう分草支持フレーム１３Ｒの途中部に設けた上下方向の縦軸回りに回動自在に枢着している。従って、右分草体７Ｒを左内側方に向けて回動操作したときには、通常の１条分の穀稈が導入され、右外側方に向けて回動操作したときには２条分の穀稈が導入されるようになっている。
【００２９】
図１１（Ａ）（Ｂ）（Ｃ）例に示すように、引起しサイドカバー３３は、上部カバー３３Ｕと下部カバー３３Ｄとからなるように上下に分割して両者を取り付けできるように構成し、下部カバー３３Ｄは従動輪体の１個のものと、２個のものとでラグ移動軌跡に合わせた形状３３Ｄ１，３３Ｄ２として専用化し、上部カバー３３Ｕは従動輪体１個・２個を問わず共用化する構成としている。
【００３０】
図１２例に示す左右の走行クローラ２，２は、左右スライド機構とクローラスライドシリンダ３４の伸縮作動によって左右スライド可能に構成してあり、刈取作業（全面刈）時は、左右のクローラが刈取部の刈幅内まで移動し、未刈稈の押し倒しを防止し、移動時や湿田作業時は、クローラが刈幅よりも外側位置まで移動し、転倒防止や地中沈下を防ぐように構成している。
【００３１】
また、図１３（ａ）（ｂ）例は、刈取部が刈取スライドシリンダ３５の伸縮作動により左右横方向にスライド移動する構成になっており、刈取部の左スライド時（図１３（ａ）参照）は、右感知センサ３６Ｒの作動により連動ワイヤ３７（又はリンクでもよい）を引き右分草体７Ｒが内向きに回動して閉位置となり、逆に左分草体７Ｌは戻しスプリングの作用により外向きに回動して「開」位置となる。
【００３２】
刈取部の右スライド時（図１３（ｂ）参照）は、左感知センサ３６Ｌの作動により連動ワイヤ３７を引いて左分草体７Ｌが内向きに回動して「閉」位置となり、逆に右分草体７Ｒは、（戻しスプリング３８の作用により外向き回動位置に戻る）外向きに回動して「開」位置となるよう連動構成している。
【００３３】
図１４に示す実施例では、右分草体７Ｒの左右移動範囲Ｌ内にあって刈刃９の
右端部を跨いだ配置とすることで、２度切りや未刈稈も切断防止を図るようにしている。
図１５例は、右分草体７Ｒが左側に移動した「閉」時の場合、右側の引起し装置の外側従動輪体２５ｂとラップする位置まで移動できるように配置することで、右分草体の「開」時、「閉」時位置による株踏み倒し防止、また、閉時に引起しラグによる横送り作用を止め、倒伏適応性・株抜け防止を図ることができる。
【００３４】
なお、図１５例において、２条刈タイプで４条刈する場合には、中分草体７Ｃと左分草体７Ｌとの間内ギリギリで２条の穀稈が導入されるのに対し、引起し対面は、中央より右側配置のため、中分草体７Ｃ上端を左側へ傾け、左分草体７Ｌは上端側を右側へ傾斜させて配置しておくことが望ましい。
【００３５】
図１６例は、全長の短い小型４条刈コンバインにおける刈取部の掻込装置に関するもので、次のような構成になっている。
刈取後の穀稈を後方に掻き込む掻込装置４０として左側に左右一対の掻込スターホイル４０ａ，４０ｂを、右側に左右一対の掻込スターホイル４０ｃ，４０ｄを対向配置して設け、最も右側の掻込スターホイル４０ｄの外径を最も左側の掻込スターホイル４０ａよりも小さくし、掻込スターホイル４０ｄに対向する掻込スターホイル４０ｃはそれと略同径とし、最左側の掻込スターホイル４０ａのみ外径を他のそれよりも最も大きくし、これに対向する掻込スターホイル４０ｂの外径は、それよりも小さくして右側の掻込スターホイル４０ｃ，４０ｄと略同径としている。そして、掻込スターホイル４０ｃは、掻込後の穀稈を引き継いで後方に搬送する後方搬送装置４１の搬送角度θがあまり大きくならないように他のスターホイルよりも前側に寄せた位置に配置している。これにより、掻込搬送能力が向上し、掻込スターホイル４０ｃへの巻き付きも緩和される。
【００３６】
図１７例は、引起しケース２０内に着脱自在に装着するラグ起立ガイドレール４２において、短稈用、中間用、標準用として３段階の調整ができるように構成したものである。つまり、引起し始端側のガイドレール４２ａを短稈用とすれば、この短稈用ガイドレール４２ａの上端にガイドレール４２ｂを継ぎ足すことによって中間用とし、この中間用ガイドレール４２ｂを取り外してこれより長く構成されたガイドレール４２ｃと取り替えることによって標準用として使用することができる。
【符号の説明】
【００３７】
８        穀稈引起し装置
２０ａ    前引起しケース
２０ｂ    後引起しケース
２１      引起しラグ
２１ａ    摺動部
２２      引起しチェン
２３      屈曲ガイド部
２４      駆動スプロケット
２５      従動輪体
２６      テンションアーム
２７      チェンガイド体
Ｇ１      ラグ起立ガイド部
Ｇ２      外面ガイド部
Ｇ３      上面ガイド部
【図１】
2013230095.tif 000003
【図２】
2013230095.tif 000004
【図３】
2013230095.tif 000005
【図４】
2013230095.tif 000006
【図５】
2013230095.tif 000007
【図６】
2013230095.tif 000008
【図７】
2013230095.tif 000009
【図８】
2013230095.tif 000010
【図９】
2013230095.tif 000011
【図１０】
2013230095.tif 000012
【図１１】
2013230095.tif 000013
【図１２】
2013230095.tif 000014
【図１３】
2013230095.tif 000015
【図１４】
2013230095.tif 000016
【図１５】
2013230095.tif 000017
【図１６】
2013230095.tif 000018
【図１７】
2013230095.tif 000019